(57)【要約】  ケース上側部（１）とケース下側部（２）を含む少くとも２つのケース部分を有するケーブルコネクターの１つのケース部分、例えばケース上側部（１）、にケース閉止爪（１０）を有するケース閉止レバー（９）が設けられる。ケース閉止レバー（９）は、他のケース部分、例えばケース下側部（２）、に設けられた突起部（１１）と係合することにより両ケース部分（１、２）を互いに閉止する。これにより、特に大きな力を入れることなく確実なケーブルコネクターの閉止が実施され、２つのケーブルが実質的に自動的に互いに接続される。
2007514269.tif 000002
【特許請求の範囲】
【請求項１】
複数の撚り心線を有する平型ケーブルと、同様に複数の撚り心線を有する少くとも１つの丸型ケーブルとの導電接続を実施するケーブルコネクターであって、前記ケーブルコネクターは、旋回軸周りに互いに関して旋回可能にヒンジ結合されたケース上側部とケース下側部を含む少くとも２つのケース部分で構成された箱状のケースと、接触により導電接続を行う導電接触部材とを備え、前記ケース上側部はその内部の所定の接続部分において外被を除去された丸型ケーブルの複数の裸の心線を横方向に互いに分離して受入れるように形成され、前記ケース下側部は平型ケーブルを受入れるように形成され、かつ、前記導電接触部材は一方ではこれに丸型ケーブルが接続可能とされ、他方では平型ケーブルの心線絶縁体を突通してその撚り心線内に押込まれる先鋭刃を有するように構成されてなるものにおいて、前記ケース上側部とケース下側部を互いにたたみ、閉止させ、かつ、同時に前記導電接触部材を接続されるべき平型ケーブルの心線内に押込むために、１つの前記ケース部分の前記旋回軸から離隔した位置にヒンジ結合されたケース閉止レバーが設けられ、かつ、前記ケース閉止レバーは、他の前記ケース部分に設けられた堅固な突起部に係合可能なケース閉止爪を備え、これにより前記ケース閉止レバーを閉止方向に操作することによって両前記ケース部分を互いにたたみ、閉止させるようにしてなることを特徴とするケーブルコネクター。
【請求項２】
前記ケース閉止レバーは、このレバーが設けられた前記１つのケース部分を跨ぎ、脚部をこのケース部分の両側にヒンジ結合されたあぶみの形状に作られ、かつ、前記あぶみの脚部の各々が前記ケース閉止爪を備え、これにより前記ケース閉止爪のそれぞれが前記他のケース部分の対応する側に設けられたそれぞれの前記突起部に係合するようにしてなることを特徴とする請求項１記載のケーブルコネクター。
【請求項３】
請求項１又は２記載のケーブルコネクターであって、前記ケース上側部は、カバー部材とその下方に位置する中間部材を含む互いに結合可能な少くとも２つの部材でなり、かつ、接続されるべき丸型ケーブルの裸にされていない心線が前記カバー部材と中間部材との間に導入されるように構成されてなるものにおいて、前記導電接触部材は、前記丸型ケーブル及び平型ケーブルの双方の撚り心線内に押込まれるように上方及び下方に伸びる先鋭刃を有して前記中間部材内に固定、保持され、かつ、前記先鋭刃は、前記ケース上側部のカバー部材及び前記ケース下側部の双方に対向する前記中間部材の下面から互いに接続されるべきそれぞれの心線に達するように伸びて設けられ、これにより全体として、前記ケース閉止レバーの操作によって前記ケース上側部とケース下側部が互いにたたまれ、閉止された時、前記カバー部材と中間部材を含む前記ケース上側部と前記ケース下側部とがサンドウィッチ状に組合わされ、所望の電気接続が自動的に実施されるようにしてなることを特徴とするケーブルコネクター。
【発明の詳細な説明】
【発明の詳細な説明】
【０００１】
本発明は、複数の撚り心線を有する平型ケーブルと、同様に複数の撚り心線を有する少くとも１つの丸型ケーブルとの導電接続を実施するケーブルコネクターに関する。このケーブルコネクターは、旋回軸周りに互いに関して旋回可能にヒンジ結合されたケース上側部とケース下側部を含む少くとも２つのケース部分で構成された箱状のケースと、接触により導電接続を行う導電接触部材とを備え、前記ケース上側部はその内部の所定の接続部分において外被を除去された丸型ケーブルの複数の裸の心線を横方向に互いに分離して受入れるように形成され、前記ケース下側部は平型ケーブルを受入れるように形成され、かつ、前記導電接触部材は一方ではこれに丸型ケーブルが接続され、他方では平型ケーブルの心線絶縁体を突通してその撚り心線内に押込まれる先鋭刃を有するように構成される。
【０００２】
上述のように、複数の心線を有するケーブル、好ましくは平型ケーブルを一方とし丸型ケーブルを他方とする２つのケーブル、を互いに接続するように構成されたケーブルコネクターは、例えばＰＣＴ特許出願ＷＯ  ０３／０２１７２１に開示されている。
【０００３】
この既知のケーブルコネクターにおいて、導電接触部材がケース上側部内の一部に形成される中間部材に保持される。この導電接触部材は、上方並びに下方に延びる先鋭刃を有し、これにより、ケース部分を一体に押付けた時両ケーブル間の接続が自動的に実施される。この場合、導電接触部材の先鋭刃を両ケーブル内に押込む時は勿論、ケーブルの一方のみに押込む時にも、比較的大きな力を加えなければ必要とされる確実なケーブルコネクターの閉止を実現することができないという問題がある。
【０００４】
従って本発明は、上記の問題を有せず、大きな力を要せず簡単にケーブル接続を実現することのできる手段を提供することを課題とする。
【０００５】
この課題は、請求項１の導入部に記載されたケーブルコネクターにおいて、同請求項の特徴部に記載された本発明の特徴によって解決される。
【０００６】
本発明のケーブルコネクターの好ましい実施の形態は、従属請求項に具体的に記載されている。
【０００７】
以下において、添付の図を参照し本発明の実施の形態に基いて本発明をより詳細に説明する。
【０００８】
図１ないし図３において、箱状のケースとして形成されるケーブルコネクターは、ケース上側部１とケース下側部２を有する。これらのケース上側部及び下側部１、２は、図の左側において旋回軸周りに互いに旋回可能にヒンジ結合される。このケーブルコネクターは、丸型ケーブル３の心線と平型ケーブル４の心線との簡単な接続を実施することができる。
【０００９】
即ち、ケース上側部１の入口部に例えばねじ式留め具５、５’により固定された丸型ケーブル３の裸にされた複数の心線３’が、横方向に互いに分離されて、それぞれ締付け部材７及びねじ８により導電接触部材６に接続される。
【００１０】
それぞれの心線３’に対応する導電接触部材６は、下方に伸びる先鋭刃６’を有する。先鋭刃６’は、ケース上側部及び下側部１、２が互いに折りたたまれ、閉止されることにより、平型ケーブル４の撚り線４’内に絶縁体を貫通して自動的に押込まれ、これによって所望の電気接続が実施される。
【００１１】
このようなケース部分を互いに完全にたたみ、閉止するために必要とされる力を得るために、本発明の核をなすケース閉止レバー９がケース上側部１にヒンジ結合される。ケース閉止レバー９は、ケース上側部１を跨ぐあぶみの形状に作られ、あぶみの各脚部がケース上側部１のそれぞれの側にヒンジ結合される。
【００１２】
あぶみの各脚部には、ケース閉止爪１０が設けられる。各ケース閉止爪１０は、ケース下側部２の対応する側に設けられたそれぞれの堅固な突起部１１に係合可能とされる。これにより、ケース閉止レバー９を押下げると梃子の作用により両ケース部分を互いに押付け、保持し、同時に特に大きな力を要せずに先鋭刃６’を平型ケーブル４の撚り線４’内に押込むことが可能となる。
【００１３】
図４は、本発明によるケーブルコネクターの変形を示す側面断面図である。図１ないし図３に示した実施の形態との実質的な相異は、ケース上側部１が、カバー部材と、導電接触部材６を保持する中間部材１’とで構成されていることである。この場合の導電接触部材６は、中間部材１の下面から下方のみならず上方にも延びる先鋭刃６’、６’’を有する。
【００１４】
外被を除去された丸型ケーブル３のそれぞれの心線３’は、ケーブルコネクターの閉止において特に裸にする必要なく上方の先鋭刃６’’によって捕捉され、かつ、下方の先鋭刃６’が平型ケーブル４の撚り線４’内に押込まれる。これによって、所望の電気接続が実施される。この実施の形態においても、ケーブルコネクターの閉止のために、本発明によるケース閉止レバー９が同様に設けられる。
【図面の簡単な説明】
【００１５】
【図１】本発明によるケーブルコネクターの１つの実施の形態を示す側面断面図。
【図２】図１の実施の形態を示す平面図。
【図３】図１の実施の形態において特にあぶみ形状のケース閉止レバーの取付状態を示す側面断面図。
【図４】本発明によるケーブルコネクターの変形に関わる実施の形態を示す側面断面図。
【図１】
2007514269.tif 000003
【図２】
2007514269.tif 000004
【図３】
2007514269.tif 000005
【図４】
2007514269.tif 000006
【国際調査報告】
2007514269.tif 000007
2007514269.tif 000008
2007514269.tif 000009
2007514269.tif 000010